(57)【要約】      （修正有）【課題】音声出力と振動出力とが併用される動作モードにおいて振動出力を周囲の状況に応じて調整し、所定状態の発生をユーザに確実且つ気分良く認識させる。【解決手段】携帯電話機は、マイクを備えると共に、着信時にスピーカからの音声出力とバイブレータによる振動出力とを併用可能である。この携帯電話機は、着信時にスピーカ出力を行うと共に、そのスピーカ出力中の状態をマイクによって集音することにより、第１の集音結果（Ｄ１）を取得する。また、携帯電話機は、着信時にスピーカ出力と、バイブレータによる振動出力とを行うと共に、該音声出力及び振動出力の実行中の状態を、マイクによって集音することにより、第２の集音結果（Ｄ２）を取得する。そして、携帯電話機１は、第２の集音結果（Ｄ２）と、第１の集音結果（Ｄ１）との差分が、所定のしきい値（Ｄ）より大きいときには振動出力の出力態様を制限する。【選択図】図２
2006180122.tif 000002
【特許請求の範囲】
【請求項１】
マイクを備えると共に、所定状態発生時にスピーカからの音声出力とバイブレータによる振動出力とを併用可能な携帯端末であって、
前記所定状態が発生するのに応じて、前記スピーカからの音声出力を実行すると共に、その音声出力実行中の状態について、前記マイクによる集音を実行する第１の制御手段と、
前記所定状態が発生するのに応じて、前記スピーカからの音声出力と、前記バイブレータによる振動出力とを実行すると共に、該音声及び振動出力実行中の状態について、前記マイクによる集音を実行する第２の制御手段と、
前記第２の制御手段による集音結果と、前記第１の制御手段による集音結果との差分が所定のしきい値より大きいときには、前記バイブレータによる振動出力の出力態様を制限する振動出力制限手段と、
を備えることを特徴とする携帯端末。
【請求項２】
前記スピーカからの音声出力と、前記バイブレータによる振動出力とが何れも実行していない状態において、前記マイクによる集音を実行する第３の制御手段を更に備え、
振動出力制限手段は、
前記第２の制御手段による集音結果を基に前記所定のしきい値を決定する
ことを特徴とする請求項１記載の携帯端末。
【請求項３】
振動出力制限手段は、
前記バイブレータによる振動出力の出力態様を制限する一方で、前記スピーカからの音声出力の出力態様を増強する
ことを特徴とする請求項１記載の携帯端末。
【請求項４】
前記振動出力制限手段は、
前記バイブレータによる振動出力の出力態様を、停止乃至は減衰させることによって制限する
ことを特徴とする請求項１乃至請求項３の何れかに記載の携帯端末。
【請求項５】
前記振動出力制限手段は、
前記差分と前記所定のしきい値とを比較する処理と、その出力態様を減衰させる処理とを繰り返すことにより、前記バイブレータによる振動出力を段階的に減衰させる
ことを特徴とする請求項４記載の携帯端末。
【請求項６】
前記振動出力制限手段は、
前記バイブレータによる振動出力を段階的に減衰させるのに応じて、前記所定のしきい値として、次第に小さな値を設定する
ことを特徴とする請求項５記載の携帯端末。
【請求項７】
前記所定状態は、前記携帯端末への着信状態である
ことを特徴とする請求項１乃至請求項６の何れかに記載の携帯端末。
【請求項８】
マイクを備えると共に、所定状態発生時にスピーカからの音声出力とバイブレータによる振動出力とを併用可能な携帯端末において、その所定状態の発生をユーザに報知する状態報知方法であって、
前記所定状態が発生するのに応じて、前記スピーカからの音声出力を実行すると共に、その音声出力実行中の状態を、前記マイクによって集音する第１の集音工程と、
前記所定状態が発生するのに応じて、前記スピーカからの音声出力と、前記バイブレータによる振動出力とを実行すると共に、該音声及び振動出力実行中の状態を、前記マイクによって集音する第２の集音工程と、
前記第２の集音工程における集音結果と、前記第１の集音工程における集音結果との差分が、所定のしきい値より大きいときに、前記バイブレータによる振動出力の出力態様を制限する振動出力制限工程と、
を有することを特徴とする携帯端末の状態報知方法。
【請求項９】
前記スピーカからの音声出力と、前記バイブレータによる振動出力とを何れも行っていない状態において、前記マイクによって集音する第３の集音工程を更に有し、
振動出力制限工程では、
前記第２の集音工程における集音結果を基に前記所定のしきい値を決定する
ことを特徴とする請求項８記載の携帯端末の状態報知方法。
【請求項１０】
振動出力制限工程では、
前記バイブレータによる振動出力の出力態様を制限する一方で、前記スピーカからの音声出力の出力態様を増強する
ことを特徴とする請求項８記載の携帯端末の状態報知方法。
【請求項１１】
前記振動出力制限工程では、
前記バイブレータによる振動出力の出力態様を、停止乃至は減衰させることによって制限する
ことを特徴とする請求項８乃至請求項１０の何れかに記載の携帯端末の状態報知方法。
【請求項１２】
前記所定状態は、前記携帯端末への着信状態である
ことを特徴とする請求項８乃至請求項１１の何れかに記載の携帯端末の状態報知方法。
【請求項１３】
マイクを備えると共に、所定状態発生時にスピーカからの音声出力とバイブレータによる振動出力とを併用可能な携帯端末の動作制御のためのコンピュータ・プログラムであって、そのコンピュータ・プログラムにより、
前記所定状態が発生するのに応じて、前記スピーカからの音声出力を実行すると共に、その音声出力実行中の状態を、前記マイクによって集音する第１の集音機能と、
前記所定状態が発生するのに応じて、前記スピーカからの音声出力と、前記バイブレータによる振動出力とを実行すると共に、該音声及び振動出力実行中の状態を、前記マイクによって集音する第２の集音機能と、
前記第２の集音機能による集音結果と、前記第１の集音機能による集音結果との差分が、所定のしきい値より大きいときには前記バイブレータによる振動出力の出力態様を制限する振動出力制限機能とを、
コンピュータに実現させることを特徴とするコンピュータ・プログラム。
【発明の詳細な説明】
【技術分野】
【０００１】
本発明は、携帯電話機等の携帯端末の技術分野に関する。特に、本発明は、電話着信等の状態を音声出力及び振動によってユーザに報知する携帯端末の技術分野に関する。
【背景技術】
【０００２】
従来、代表的な携帯端末である携帯電話機においては、一般に、電話着信やメール着信等の状態が発生した際、スピーカからの音声（音響）出力と、バイブレータの振動出力とが可能である。そして、ユーザは、係る携帯電話機の動作モードとして、何れか一方乃至は両方の出力態様を好みに応じて設定することができる。
【０００３】
即ち、一般的なユーザは、係る携帯電話機の着信音のレベル（音量、大きさ）設定を行う場合、比較的静かな室内に位置する状況において、自分にとって、乃至は周囲の他者にとって耳障りとならない程度に設定することが多い。一方、ユーザは、携帯電話機を携行するに際しては、男性の場合は衣服のポケットに入れた状態で、女性の場合はハンドバック等に入れた状態で持ち歩くことが多い。このため、これらの状態において着信音の鳴動が行われても、ユーザが位置する周辺環境（繁華街や駅等の騒がしい場所）の喧噪の状況によっては着信に気付かない場合がある。
【０００４】
そこで、ユーザは、携帯電話機の着信時に、着信音の鳴動に加えて、振動による報知が行われる動作モードを選択することにより、係る状況を未然に回避するのが一般的である。このような動作モードに設定しておけば、ユーザは、騒がしい周辺環境においても、例えば衣服を介して、或いはハンドバックを介して、振動による報知によって着信を認識することができる。
【０００５】
ここで、本願出願に先だって存在する従来技術としては、例えば以下の特許文献がある。
【０００６】
即ち、特許文献１には、遠隔操作対象であるテレビのスピーカ出力音を自動調整するリモートコントロール端末（リモコン端末）が提案されている。同文献において、当該リモコン端末は、マイクを備えており、このマイクによってテレビのスピーカ出力音を集音する。そして当該リモコン端末は、集音した音量と、ユーザが予め設定した基準音量との差分が所定範囲内に維持されるように、テレビの音量設定を遠隔調整する。
【０００７】
また、特許文献２には、バイブレータの鳴動態様を自動調整する携帯電話機が提案されている。同文献において、当該携帯電話機は、バイブレータ鳴動時の音圧レベルと、停止時の音圧レベルとを自装置のマイクにて集音すると共に、それら音圧レベルの差分が、予め設定したしきい値より大きい場合には当該バイブレータの鳴動を停止乃至は弱くする。
【０００８】
【特許文献１】特開２００３−３０４５９０号公報（段落番号１８，１９、図１，８）
【特許文献２】特開２００４−０５６６２３号公報（段落番号１９〜２４、図１，２）
【発明の開示】
【発明が解決しようとする課題】
【０００９】
ところで、上述した音声出力と振動出力とが併用される動作モードに設定されている携帯電話機を所持するユーザの使用状況を考えてみる。この場合、ユーザは、静かな環境の室内に移動した後、係る設定の携帯電話機を、衣服やハンドバック等から取り出して、表面が堅いテーブル等の家具の上に置くことは良くあることである。また、一般的なユーザは、自分自身が行った携帯電話機の動作設定を忘れてしまうことが多い。
【００１０】
そして、この状況において当該携帯電話機に着信があった場合には、着信音の出力とバイブレータ駆動とが重なってしまうので、家具表面上で当該携帯電話機が振動することによる不快な音（ビビリ音、コトコト音等）が発生することになる。このため、突然の振動出力開始に伴う不快な音の発生によってユーザが驚いてしまうと共に、出力されている着信音が聞き取り難い（音が濁る等）という問題が生じる。
【００１１】
近年において、携帯電話機の着信音は、所謂着メロや着歌等のサービスに代表されるように、着信状態をユーザが単に認識するという従来からの機能だけではなく、そのメロディ等の着信音自体をユーザが楽しむという新たな利用形態が普及している。このため、上述した動作設定及びユーザの使用環境において振動出力に起因する不快な音が生じた場合は、せっかく設定したメロディ等の着信音をユーザが聞き取り難い（音が濁る等）という状況が生じる。このような状況を放置することは、携帯電話機のメーカ等にとって、商品性や顧客満足度にも影響を与えかねない。
【００１２】
更にこの場合、振動に起因して、家具表面上からの落下によって、当該携帯電話機が不具合を起こす虞もある。
【００１３】
そこで、本発明は、所定状態発生時（例えば、着信時）にスピーカからの音声出力と、バイブレータによる振動出力とが併用される動作モードにおいて、振動出力の動作態様を、周囲の状況に応じて的確に調整することにより、当該所定状態の発生をユーザに確実且つ気分良く認識させる携帯端末及びその状態報知方法、並びに携帯端末のコンピュータ・プログラムの提供を目的とする。
【課題を解決するための手段】
【００１４】
上記の目的を達成すべく、本発明に係る携帯端末は、以下の構成を備えることを特徴とする。
【００１５】
即ち、マイクを備えると共に、所定状態（例えば、携帯端末への着信状態、指定日時到来等）発生時にスピーカからの音声出力とバイブレータによる振動出力とを併用可能な携帯端末であって、
前記所定状態が発生するのに応じて、前記スピーカからの音声出力を実行すると共に、その音声出力実行中の状態について、前記マイクによる集音を実行する第１の制御手段と、
前記所定状態が発生するのに応じて、前記スピーカからの音声出力と、前記バイブレータによる振動出力とを実行すると共に、該音声及び振動出力実行中の状態について、前記マイクによる集音を実行する第２の制御手段と、
前記第２の制御手段による集音結果（Ｄ２）と、前記第１の制御手段による集音結果（Ｄ１）との差分が所定のしきい値（Ｄ）より大きいときには、前記バイブレータによる振動出力の出力態様を制限（停止、減衰等）する振動出力制限手段と、
を備えることを特徴とする。
【００１６】
好適な実施形態において、前記スピーカからの音声出力と、前記バイブレータによる振動出力とが何れも実行していない状態において、前記マイクによる集音を実行する第３の制御手段を更に備え、
振動出力制限手段は、
前記第２の制御手段による集音結果（Ｄ０）を基に前記所定のしきい値を決定すると良い。
【００１７】
また、例えば振動出力制限手段は、
前記バイブレータによる振動出力の出力態様を制限する一方で、前記スピーカからの音声出力の出力態様を増強しても良い。
【００１８】
尚、同目的は、上記の各構成の携帯端末に対応する状態報知方法によっても達成される。
【００１９】
また、同目的は、上記の各構成を有する携帯端末、並びに対応する状態報知方法を、コンピュータによって実現するコンピュータ・プログラム、及びそのコンピュータ・プログラムが格納されている、コンピュータ読み取り可能な記憶媒体によっても達成される。
【発明の効果】
【００２０】
上記の本発明によれば、所定状態発生時にスピーカからの音声出力と、バイブレータによる振動出力とが併用される動作モードにおいて、振動出力の動作態様を、周囲の状況に応じて的確に調整することにより、当該所定状態の発生をユーザに確実且つ気分良く認識させる携帯端末及びその状態報知方法、並びに携帯端末のコンピュータ・プログラムの提供が実現する。
【００２１】
即ち、本発明は、マイクを備えると共に、所定状態発生時にスピーカからの音声出力とバイブレータによる振動出力とを併用可能な携帯端末を前提としている。そして、本発明では、
・前記所定状態が発生するのに応じて、前記スピーカからの音声出力を実行すると共に、その音声出力実行中の状態を、前記マイクによって集音することによって第１の集音結果（Ｄ１）を取得し、
・前記所定状態が発生するのに応じて、前記スピーカからの音声出力と、前記バイブレータによる振動出力とを実行すると共に、該音声及び振動出力実行中の状態を、前記マイクによって集音することによって第２の集音結果（Ｄ２）を取得し、
・前記第２の集音結果（Ｄ２）と、前記第１の集音結果（Ｄ１）との差分が、所定のしきい値（Ｄ）より大きいときには前記バイブレータによる振動出力の出力態様を制限する。
【００２２】
上記構成の本発明によれば、振動出力の動作態様を、マイクを介して検出した周囲の状況に応じて的確に調整することができる。よって、例えば携帯端末の振動出力に起因して、家具表面上で当該携帯端末が振動することによる不快な音の発生を極小化することができるので、当該所定状態の発生をユーザに確実且つ気分良く認識させることができる訳である。
【発明を実施するための最良の形態】
【００２３】
以下、本発明を、代表的な携帯端末である携帯電話機に適用した実施形態により、図面を参照して詳細に説明する。
【００２４】
［ 第１の実施形態 ］
図１は、本発明を適用可能な携帯電話機の構成を例示するブロック図である。同図において、携帯電話機１は、大別して、アンテナ５２、送受信回路５３、表示デバイス５４、入力デバイス５５、制御回路５６、バイブレータ５７、スピーカ５８、マイク５９、並びに不揮発メモリ６０を備える。
【００２５】
即ち、送受信回路５３は、制御回路５６の指示に応じて、変調及び復調その他の無線信号の送受信に必要な処理を行う。その際、アンテナ５２は、無線信号を送信または受信する。
【００２６】
入力デバイス５５は、テンキー、ファンクションキー、並びにポインティングデバイス等であって、ユーザが各種設定や選択等の操作を行うために使用する。マイク５９は、ユーザの発した音声等を集音すると共に、集音した音声に応じた音声信号を、制御回路１に入力する。
【００２７】
スピーカ５８は、制御回路５６の指示に応じて、電話会話時の相手の音声や着信音（メロディ等）を出力する。本実施形態において、着信音は、携帯電話機１に予め設定されている各種メロディの他、ユーザが好みに応じて外部から取得した所謂、着メロや着歌等の楽曲、歌声等の合成音を含む。バイブレータ５７は、制御回路５６の指示に応じて振動することにより、ユーザに着信状態等を報知する。
【００２８】
不揮発メモリ６０は、携帯電話機１の動作制御用のソフトウェア・プログラム（以下、「プログラム」と略称する場合がある）や、ユーザデータ（電子メールメッセージ、アドレス帳、着信メロディ等）等を記憶する。
【００２９】
表示デバイス５４は、液晶表示パネル等の備えており、制御回路５６の指示に応じて、各種画面を表示する。
【００３０】
そして、制御回路１は、携帯電話機１の上記の各構成の動作を統括制御する。制御回路１は、ＣＰＵ(Central Processing Unit)１０１、ＲＯＭ(Read Only Memory)１０２、ＲＡＭ(Random Access Memory)１０３及び不図示のハードウェアを備える。制御回路１は、不揮発メモリ６０から読み出したプログラム群を、ＲＡＭ１０３をワークエリアとして使用しながら実行することにより、上述した携帯電話機１の各部の動作を司る。
【００３１】
尚、携帯電話機１が上記の装置構成において外部装置との間で実行するデータ送受信処理、音声通話処理等の動作自体は、現在では一般的な技術を採用することができる。このため、本実施形態における詳細な説明は省略する。
【００３２】
次に、本実施形態に係る携帯電話機１において特徴的な、着信報知動作の態様について説明する。
【００３３】
図２は、第１の実施形態において携帯電話機が行う着信報知処理を示すフローチャートである。係るフローチャートは、本実施形態において、携帯電話機１への着信をユーザに報知すべく、ＣＰＵ１０１が実行するソフトウェア・プログラムの処理手順を表す。
【００３４】
即ち、図２において、ＣＰＵ１０１は、受信した無線電波を送受信回路５３にて復号すると共に、電話や電子メール等の着信の有無を判断する(ステップＳ１０１)。そして、ＣＰＵ１０１は、ステップＳ１０１にて着信を検出した場合、スピーカ５８から着信音の出力を行う（ステップＳ１０２）。更に、ＣＰＵ１０１は、スピーカ５８から出力している着信音を、マイク５９にて集音（検出）すると共に、集音した着信音の音圧Ｄ１を測定する(ステップＳ１０３)。
【００３５】
次に、ＣＰＵ１０１は、スピーカ５８からの着信音の出力を継続した状態で、更にバイブレータ５７のアクチュエータ（不図示）を駆動することによって振動出力を行う（ステップＳ１０４）。そして、ＣＰＵ１０１は、スピーカ５８から出力している着信音と、振動出力に伴って発生している音とを、マイク５９にて集音すると共に、集音した音の音圧Ｄ２を測定する(ステップＳ１０５)。ここで、振動出力に伴って発生している音とは、バイブレータ５７内のアクチュエータ（不図示）の振動音（動作音）の他、例えば、携帯電話機１が机等の表面に置かれている場合にはバイブレータ５７の駆動に伴って当該携帯電話機自体が発生させる雑音（ビビリ音、コトコト音等）を含む。
【００３６】
ＣＰＵ１０１は、ステップＳ１０５にて測定した音圧Ｄ２と、ステップＳ１０３にて測定した音圧Ｄ１との差分を求めると共に、その差分と、予め設定したしきい値Ｄとを比較する（ステップＳ１０６）。更に、ステップＳ１０６において、ＣＰＵ１０１は、当該差分がしきい値Ｄ以下のとき（ステップＳ１０６にてＮＯ判定の場合）には処理をステップＳ１０８に進める。
【００３７】
一方、当該差分がしきい値Ｄより大きいとき（ステップＳ１０６にてＹＥＳの場合）には、バイブレータ５７による振動出力に起因して不要な雑音（ビビリ音）が発生している状況が予想される。そこで、ＣＰＵ１０１は、バイブレータ５７の駆動電圧を現在までの設定値より所定値だけ小さな値に変更する（ステップＳ１０７）。これにより、バイブレータ５７内のアクチュエータ（不図示）の駆動状態（例えば回転数）が減衰する（弱められる）ので、その結果として振動出力に伴う音が減少する。尚、バイブレータ５７の動作状態を減衰させる方法は、駆動電圧の変更に限られるものではなく、どのような方法であっても良い。
【００３８】
ステップＳ１０７における設定値の変更後、ＣＰＵ１０１は、処理をステップＳ１０５に戻すことにより、駆動状態が減衰した後の音圧Ｄ２を再度測定する。そして、ＣＰＵ１０１は、ステップＳ１０５乃至ステップＳ１０７の一連の処理を、ステップＳ１０６にて音圧Ｄ２と音圧Ｄ１との差分がしきい値Ｄ以下であると判定できるまで繰り返し行う。これにより、バイブレータ５７による振動出力は、当該差分がしきい値Ｄ以下であることがステップＳ１０６にて検出されるまで段階的に減衰していく。
【００３９】
そして、ステップＳ１０６にて当該差分がしきい値Ｄ以下であると判断した場合は、そのときスピーカ５８から出力している着信音と、バイブレータ５７による振動出力とが最適な報知状態となったと判断できる。そこで、ＣＰＵ１０１は、現時点におけるスピーカ出力及び振動出力にて報知を継続することを確定すると共に、係る報知状態を、例えばユーザによる所定の操作が検出されるまで継続する（ステップＳ１０８）。
【００４０】
＜第１の実施形態の効果＞
上述した第１の実施形態によれば、ステップＳ１０５にて集音したところの、スピーカからの音声出力と、バイブレータによる振動出力とを総和した報知状態（音圧Ｄ２）と、スピーカ出力だけの報知状態（音圧Ｄ１）との差分が、バイブレータ５７による振動出力に起因して所定のしきい値Ｄより大きい場合には、係る振動出力の状態が制限（抑制）される。
【００４１】
これにより、例えば、携帯電話機１が机等の表面に置かれている場合において、バイブレータ５７の駆動に伴ってビビリ音を生じていた場合には、係る振動出力の状態が抑制される。よって、ユーザは、係るビビリ音を不快に感じること無く、且つ驚くこと無く、例えばお気に入りの着メロによって、着信状態を確実且つ気分良く認識することができる。
【００４２】
尚、ステップＳ１０５乃至ステップＳ１０７の一連の処理を繰り返す処理には、最終的にバイブレータ５７の駆動を停止する場合も含まれる。また、バイブレータ５７の駆動状態を減衰させるに際しては、音圧Ｄ２と音圧Ｄ１との差分と、しきい値Ｄとの差が小さくなるのに応じて、駆動電圧の減少分を小さくしても良い（以下の他の実施形態においても同様である）。
【００４３】
また、本実施形態では、ステップＳ１０３にてスピーカ出力（音圧Ｄ１）の検出を行った後、ステップＳ１０５にてスピーカ出力及び振動出力（音圧Ｄ２）の検出を行った。しかしながら、検出の順番はこれに限られるものではなく、音圧Ｄ２の検出を先に行い、その後、音圧Ｄ１の検出を行う処理構成としても良い（以下の他の実施形態においても同様である）。但し、本実施形態の如くスピーカ出力だけを先に実行する処理構成の場合、振動出力を開始するまでに、係るスピーカ出力のみによってユーザが着信を認識できることも予想される。そして、この場合は、バイブレータ５７によるバイブレーション出力の実行時間を極小化できるので、上記ビビリ音等の発生を回避するという観点からも好適である。
【００４４】
［ 第２の実施形態 ］
次に、上述した第１の実施形態に係る携帯電話機１を基本とする第２の実施形態について説明する。
【００４５】
本実施形態においても、携帯電話機１のハードウェア構成は図１と同様であり、着信報知処理の内容が第１の実施形態と異なる。以下の説明においては、本実施形態に係る特徴的な部分を中心に説明すると共に、上述した第１の実施形態と同様な構成についての重複する説明は省略する。
【００４６】
図３は、第２の実施形態において携帯電話機が行う着信報知処理を示すフローチャートである。係るフローチャートは、本実施形態において、携帯電話機１への着信をユーザに報知すべく、ＣＰＵ１０１が実行するソフトウェア・プログラムの処理手順を表す。
【００４７】
図３に示すように、ＣＰＵ１０１は、本実施形態においても、ステップＳ１０１（図１）と同様に着信検知を行った後（ステップＳ２０１）、ステップＳ１０２乃至ステップＳ１０８（図１）と同様な処理内容のステップＳ２０４乃至ステップＳ２１０を実行する。但し、本実施形態では、第１の実施形態とは異なり、しきい値Ｄを着信発生の都度設定し直す（更新する）点に特徴を有する。
【００４８】
即ち、ＣＰＵ１０１は、ステップＳ２０１にて携帯電話機１への着信を検出するのに応じて、マイク５９を介して自端末周囲の音圧Ｄ０を検出する（ステップＳ２０２）。音圧Ｄ０は、着信動作開始直前の、携帯電話機１の置かれた音場の状態を表す。そして、ＣＰＵ１０１は、ステップＳ２０２にて検出した音圧Ｄ０を、比較基準となるしきい値Ｄとして設定する（ステップＳ２０３）。
【００４９】
＜第２の実施形態の効果＞
上述した第２の実施形態では、ステップＳ２０２にて検出した自装置周囲の音場の状態（音圧Ｄ０）がしきい値Ｄとして設定される。これにより、本実施形態では、例えば携帯電話機１による着信動作開始前から周囲の音場が騒がしい環境において、バイブレータ５７による振動出力の減衰の度合いを、第１の実施形態と比較して小さく規制することができる。反対に、周囲の音場が極端に静かな環境においては振動出力の減衰を、第１の実施形態と比較して大きく規制することができる。従って、このような処理構成の本実施形態によれば、第１の実施形態に係る効果に加えて、より適切な報知態様で、着信状態をユーザに認識させることができる。
【００５０】
［ 第３の実施形態 ］
次に、上述した第１の実施形態に係る携帯電話機１を基本とする第３の実施形態について説明する。
【００５１】
本実施形態においても、携帯電話機１のハードウェア構成は図１と同様であり、着信報知処理の内容が第３の実施形態と異なる。以下の説明においては、本実施形態に係る特徴的な部分を中心に説明すると共に、上述した第１の実施形態と同様な構成についての重複する説明は省略する。
【００５２】
図４は、第３の実施形態において携帯電話機が行う着信報知処理を示すフローチャートである。係るフローチャートは、本実施形態において、携帯電話機１への着信をユーザに報知すべく、ＣＰＵ１０１が実行するソフトウェア・プログラムの処理手順を表す。
【００５３】
図４に示すように、ＣＰＵ１０１は、本実施形態においても、ステップＳ１０１（図１）と同様に着信検知を行った後（ステップＳ３０１）、ステップＳ１０２乃至ステップＳ１０６、並びにステップＳ１０８（図１）と同様な処理内容のステップＳ３０２乃至ステップＳ３０６、並びにステップＳ３０８を実行する。但し、本実施形態では、第１の実施形態とは異なり、音圧Ｄ２と音圧Ｄ１との差分がしきい値Ｄよりも大きいとステップＳ３０６にて判断した場合、以下の処理を行う点に特徴を有する。
【００５４】
即ち、ＣＰＵ１０１は、ステップＳ３０６にてＹＥＳ判定の場合、スピーカ５８から出力している着信音の出力レベルを増大する（ステップＳ３０７）と共に、バイブレータ５７による振動出力を停止する（ステップＳ３０８）。その後、ＣＰＵ１０１は、処理をステップＳ３０２に戻す。
【００５５】
＜第３の実施形態の効果＞
上述した第３の実施形態では、音圧Ｄ２と音圧Ｄ１との差分がしきい値Ｄよりも大きい場合には、ステップＳ３０７にてスピーカ出力のレベルが増大する一方で、ステップＳ３０９にてバイブレータ５７による振動出力を停止する。即ち、本実施形態では、振動出力の停止に伴うユーザの着信認識の困難性の増大を、スピーカ出力のレベルを増大することによって補完（補償）する。従って、このような処理構成の本実施形態によれば、第１の実施形態に係る効果に加えて、より適切な報知態様で、着信状態をユーザに認識させることができる。
【００５６】
［ 第４の実施形態 ］
次に、上述した第２及び第３の実施形態に係る携帯電話機１を基本とする第４の実施形態について説明する。
【００５７】
本実施形態においても、携帯電話機１のハードウェア構成は図１と同様であり、着信報知処理の内容が第２及び第３の実施形態と異なる。以下の説明においては、本実施形態に係る特徴的な部分を中心に説明すると共に、上述した第２及び第３の実施形態と同様な構成についての重複する説明は省略する。
【００５８】
図５は、第４の実施形態において携帯電話機が行う着信報知処理を示すフローチャートである。係るフローチャートは、本実施形態において、携帯電話機１への着信をユーザに報知すべく、ＣＰＵ１０１が実行するソフトウェア・プログラムの処理手順を表す。
【００５９】
図５に示すように、ＣＰＵ１０１は、本実施形態においても、第２の実施形態と同様に、ステップＳ２０１（図３）と同様な着信検知を行った後（ステップＳ４０１）、ステップＳ２０２乃至ステップＳ２０８、並びにステップＳ２１０（図３）と同様な処理内容のステップＳ４０２乃至ステップＳ４０８、並びにステップＳ４１０を実行する。但し、本実施形態では、第３の実施形態と同様に、音圧Ｄ２と音圧Ｄ１との差分がしきい値Ｄよりも大きいとステップＳ４０８にて判断した場合、以下の処理を行う点に特徴を有する。
【００６０】
即ち、ＣＰＵ１０１は、ステップＳ４０８にてＹＥＳ判定の場合、スピーカ５８から出力している着信音の出力レベルを増大する（ステップＳ４０９）と共に、バイブレータ５７による振動出力を停止する（ステップＳ４１１）。その後、ＣＰＵ１０１は、処理をステップＳ４０４に戻す。
【００６１】
＜第４の実施形態の効果＞
上述した第４の実施形態では、第２の実施形態と同様に、ステップＳ４０２にて検出した自装置周囲の音場の状態（音圧Ｄ０）がしきい値Ｄとして設定される。そして、音圧Ｄ２と音圧Ｄ１との差分がしきい値Ｄよりも大きい場合には、第３の実施形態と同様に、ステップＳ４０９にてスピーカ出力のレベルが増大する一方で、ステップＳ４１１にて振動出力を停止する。これにより、本実施形態では、第３の実施形態と同様な効果に加えて、第２の実施形態と同様にステップＳ４０８における判断基準となるしきい値Ｄを周囲の音場に応じて適宜設定できる。従って、このような処理構成の本実施形態によれば、第３の実施形態に係る効果に加えて、バイブレータ５７による振動出力の停止に伴うユーザの着信認識の困難性の増大を、スピーカ出力のレベルを増大することによって補完（補償）することができる。よって、更に適切な報知態様で、着信状態をユーザに認識させることができる。
【００６２】
以上説明したように、上述した何れの実施形態においても、携帯電話機１への着信に際して、スピーカ５８による着信音の出力と、バイブレータ５７による振動出力とが実行される動作モードを前提としている。そして、当該動作モードにおいて、携帯電話機１は、自端末周囲の状況（音場）がバイブレータ５７の駆動に起因して騒がしいと想定される場合、バイブレータ５７の動作を自動的に停止、乃至はスピーカ出力との相対的な関係において適当なレベルまで減衰させる。
【００６３】
従って、上記各実施形態に係る携帯電話機１によれば、着信音の出力と振動出力とが併用される動作モードにおいて、着信報知の態様を、周囲の状況に応じて的確に調整することができるので、ユーザに着信を確実且つ気分良く認識させることができる。
【００６４】
より具体的に、例えば、ユーザがお気に入りのメロディ等を着信音として設定している場合において、マイク５９によって集音した周囲の状況（音圧Ｄ２）が、振動動作に起因して発生した不適当な音（ビビリ音等）を含むと想定される程度に大きなレベルとなる場合がある。この場合、携帯電話機１は、振動出力を自動的に制限（即ち、停止、減衰）する。このため、ユーザにとっては、着信音であるメロディが、振動出力と比較して、相対的に強調されて出力されることになる。よって、せっかく設定したメロディ等の着信音が聞き取り難い（音が濁る等）という不快な状況の発生を防止することができるので、個々のユーザの感性を満足させつつ着信状態を確実に認識させることができ好適である。
【００６５】
また、当該動作モードに設定されている携帯電話機１をユーザが衣服のポケット内やハンドバック内に携行している場合は、バイブレータ５７による振動出力は停止乃至は減衰すること無く本来の動作態様で行われる。よってこの場合、ユーザは、スピーカ出力による着信音を聞き取り難い状況下においても、バイブレータ５７による振動出力によって着信を認識することができる。
【００６６】
即ち、上記各実施形態に係る携帯電話機１によれば、着信音の出力と振動出力とが併用される動作モードに設定している場合に、上記の如く使用環境が変化しても、振動出力が適当な動作態様に自動的に調整される。従来からの一般的な携帯電話機であれば動作モードの設定を逐一変更しなければならない煩わしさがあった。これに対して、係る携帯電話機１は、動作モードの設定を都度変更する煩わしさをユーザに与えることが無いので利便性に優れる。
【００６７】
更に、上記各実施形態に係る携帯電話機１によれば、上記の如く振動出力が停止乃至適宜減衰するので、振動に起因して家具表面上から携帯電話機１が落下する等の副次的な不具合の発生も回避することができ好適である。
【００６８】
尚、上述した各実施形態を例に説明した本発明は、上述した携帯電話機１に対して、その説明において参照したフローチャート（図２、図３、図４の少なくとも何れか）の機能を実現可能なコンピュータ・プログラムを供給した後、そのコンピュータ・プログラムを、当該装置のＣＰＵ１０１に読み出して実行することによって達成される。また、当該装置内に供給されたコンピュータ・プログラムは、不揮発メモリ６０等の読み書き可能な記憶デバイスに格納すれば良い。
【００６９】
また、前記の場合において、携帯電話機１へのコンピュータ・プログラムの供給方法は、出荷前の製造段階、或いは出荷後のメンテナンス段階等において、適当な治具を利用して当該装置内にインストールする方法や、インターネット等の通信回線を介して外部よりダウンロードする方法等のように、現在では一般的な手順を採用することができる。そして、このような場合において、本発明は、係るコンピュータ・プログラムのコード或いは記憶媒体によって構成される。
【００７０】
尚、上述した各実施形態では、本発明を代表的な携帯端末である携帯電話機に適用した場合について説明した。しかしながら、本発明は携帯電話機への適用に限られるものではなく、マイクを備えていれば、例えば、ＰＤＡ（携帯情報端末）や腕時計等の携帯端末にも適用することができる。更に、本発明に係る携帯端末がユーザに報知する所定の状態は、電話やメール等の着信状態だけではなく、例えば、日程や時刻の報知等の如く、様々な状態の報知に適用可能である。
【図面の簡単な説明】
【００７１】
【図１】本発明を適用可能な携帯電話機の構成を例示するブロック図である。
【図２】第１の実施形態において携帯電話機が行う着信報知処理を示すフローチャートである。
【図３】第２の実施形態において携帯電話機が行う着信報知処理を示すフローチャートである。
【図４】第３の実施形態において携帯電話機が行う着信報知処理を示すフローチャートである。
【図５】第４の実施形態において携帯電話機が行う着信報知処理を示すフローチャートである。
【符号の説明】
【００７２】
１    携帯電話機
５２    アンテナ
５３    送受信回路
５４    表示デバイス
５５    入力デバイス
５６    制御回路
５７    バイブレータ
５８    スピーカ
５９    マイク
６０    不揮発メモリ
１０１    ＣＰＵ
１０２    ＲＯＭ
１０３    ＲＡＭ
【図１】
2006180122.tif 000003
【図２】
2006180122.tif 000004
【図３】
2006180122.tif 000005
【図４】
2006180122.tif 000006
【図５】
2006180122.tif 000007